(57)【特許請求の範囲】
【請求項１】
上面に複数本の弦が張設される胴本体と、この胴本体上に配設され前記弦の各端部付近をそれぞれ支持する上駒および下駒と、前記各弦の端部を係止する糸巻装置および弦係止部材を備えた大正琴において、
前記下駒を弦の張設方向と直交する方向の異なった位置に位置変更可能に設けたことを特徴とする大正琴。
【請求項２】
請求項１記載の大正琴において、
下駒を弦の張設方向と直交する方向の異なった位置に位置決めする位置決め機構を、下駒と弦係止部材のいずれか一方に設けられた位置決め部と、他方に設けられ前記位置決め部に係合する係合部とで構成したことを特徴とする大正琴。
【請求項３】
請求項１または２記載の大正琴において、
下駒の頂部に弦の張設方向と直交する方向に隣り合い、かつ弦の張設方向に離間した不連続な低音域用弦支持部と中高音域用弦支持部を設けたことを特徴とする大正琴。
【発明の詳細な説明】
【０００１】
【発明の属する技術分野】
本発明は大正琴に関し、特にソプラノ、アルト、テナー等の音域の異なる各種の弦を選択的に張設することができ、一台で音質や音色の異なる楽器として使用することができるようにした大正琴に関する。
【０００２】
【従来の技術】
従来、一般の大正琴は、胴本体の上面の一端部（左端部）付近に弦の一端を係止する糸巻装置と、弦を支持する上駒を配設し、上面の他端部（右端部）付近に弦の他端を係止する弦係止部材（テールピース）と弦を支持する下駒（ブリッジ）を配設し、上駒と下駒との間の弦部分を有効振動発音部としてＧ音の開放弦に調律し、この有効振動発音部をキーによって押し下げてピック（義甲）で弾弦することにより、所定の音階の音を発音させるようにしている。上駒と下駒は、胴本体の上面に固定されており、弦を支持する頂部が連続した直線状に形成され弦を係止する弦受け溝を有している。弦受け溝は、支持する弦の太さに応じた溝幅と深さを有するように形成されている。
【０００３】
大正琴の弦は、音域によって本数、外径等が異なり、ソプラノ用の場合通常４本（細線３本、細巻線１本）用いられ、これらの弦でソプラノの音域をカバーすることによりオクターブの音が重なった琴らしい音色を得るようにしている。アルト、テナー、ベースの音域を演奏する際には、それぞれ専用の大正琴が用いられる。
【０００４】
【発明が解決しようとする課題】
上記したように従来の大正琴は、音域が異なるパート毎に別個の楽器を構成しているため、異なった音域のパートを演奏する際には、その都度そのパート専用の大正琴を購入する必要があった。すなわち、一台の楽器を異なったパートの演奏に共用することができず、このため各パート毎の楽器を揃えると演奏者の経済的な負担が大きく、またその保管、管理も煩わしいという問題があった。
【０００５】
本発明は上記した従来の問題を解決するためになされたもので、その目的とするところは、一台で音域の異なった各種パートの演奏に共用することができるようにした大正琴を提供することにある。
【０００６】
【課題を解決するための手段】
上記目的を達成するために、第１の発明は、上面に複数本の弦が張設される胴本体と、この胴本体上に配設され前記弦の各端部付近をそれぞれ支持する上駒および下駒と、前記各弦の端部を係止する糸巻装置および弦係止部材を備えた大正琴において、前記下駒を弦の張設方向と直交する方向の異なった位置に位置変更可能に設けたものである。
この発明において、弦を交換して異なったパートを演奏するときは、下駒を移動させることで弦をその外径に適合する溝幅の弦受け溝に挿入することができる。すなわち、下駒は異なったパートの演奏に共通に使用され、弦を指板、鍵キー等に対して適切な位置に張設する。
【０００７】
第２の発明は、上記第１の発明において、下駒を弦の張設方向と直交する方向の異なった位置に位置決めする位置決め機構を、下駒と弦係止部材のいずれか一方に設けられた位置決め部と、他方に設けられ前記位置決め部に係合する係合部とで構成したものである。
この発明においては、下駒が位置決め部と係合部の係合によって弦の張設方向と直交する方向に離間した位置に選択的に移動調整される。
【０００８】
第３の発明は、上記第１または第２の発明において、下駒の頂部に弦の張設方向と直交する方向に隣り合い、かつ弦の張設方向に離間した不連続な低音域用弦支持部と中高音域用弦支持部を設けたものである。
この発明においては、低音域用弦支持部と中高音域用弦支持部に張設される弦の有効振動発音部の長さが異なる。
【０００９】
【発明の実施の形態】
以下、本発明を図面に示す実施の形態に基づいて詳細に説明する。
図１は本発明に係る大正琴の一実施の形態を示す平面図、図２は同大正琴の正面図、図３は同大正琴の拡大右側面図、図４は同大正琴の要部の拡大断面図である。図５は下駒の斜視図、図６は同下駒の平面図、図７は同下駒の右側面図、図８は同下駒の正面図、図９は同下駒の底面図、図１０は弦係止部材の斜視図である。これらの図において、本実施の形態は、電磁式ピックアップ装置を備えた電気式大正琴に適用した例を示している。なお、図２においては鍵キーの図示を省略している。
【００１０】
図１および図２において、全体を符号１で示す電気式大正琴（以下、大正琴と略称する）は、胴本体２と、この胴本体２の上方に張設された４本の弦３と、各弦３を押え音程を決める複数の鍵キー４と、胴本体２の長手方向の中央で後方側端部（演奏者側とは反対側）の上方に配設され前記各鍵キー４の基端部４ａを覆うとともに譜面台として用いられる天板５等を備えている。また、弦３の両端付近３ａ，３ｂを係止する上駒６および下駒７、指板９、各弦３に所定の張力を付与する複数個の糸巻装置１０、弦３の下駒７側端部３ｂを係止する弦係止部材（テールピース）１１、電磁式ピックアップ装置１２等を備えている。
【００１１】
前記胴本体２は、木材またはプラスチックによって断面形状が略矩形で左右方向に長い中実の板体に形成されている。また、長手方向中央部の幅が両端部より広く形成され、上面中央に前記指板９が弦３の下方に位置するように接合されている。さらに、胴本体２の上面で右端部寄りには、下面に貫通する弦挿通孔１３が形成され、下面側には一端が前記弦挿通孔１３に連通し他端が前記胴本体２の右側面２ａに開放する凹部１４が形成されている。前記弦挿通孔１３には、飾り枠１５（図４）が嵌合され、接着剤等によって固定されている。前記指板９の上面には、前記上駒６が立設されるとともに、複数本のフレット８が弦３と直交するように指板９の長手方向に所定の間隔をおいて植設されている。上駒６は、指板９の上面左端側に位置して設けられている。
【００１２】
前記弦３は、前記上駒６と前記下駒７間の弦部分がＧ音の開放弦となるように調律されて前記糸巻装置１０と前記弦係止部材１１間に張設されており、鍵キー４によって押し下げられたとき、当該鍵キー４から下駒７間の弦部分が有効振動発音部となって振動し所定の音階の音を発音する。なお、弦３は、一般的（ソプラノ）には細線からなる３本の高音弦（第１〜第３弦）３A1〜３A3と、細巻線からなる１本の低音弦（第４弦）３A4とで構成され、略同一高さに張設されている。
【００１３】
図３において、前記鍵キー４はステンレス等の金属板を打ち抜き加工することによって製作され、指板９の上方に弦３の張設方向と直交するように、かつ前後２列に配列されている。鍵キー４の前端には合成樹脂等によって形成された音階ボタン１８が一体に設けられ、基端部４ａが軸１９（図３）によって上下方向に回動自在に枢支されている。また、鍵キー４は、引張りコイルばねからなる復帰用ばね２０によって上方向への復帰習性が付与されることにより、非演奏時において前記天板５の前端部下面に設けた上限ストッパ２２に圧接され係止されている。
【００１４】
前記軸１９は、前記天板５の下面に設けた逆Ｌ字形の支承部材２３によって支承されている。また、この支承部材２３は前記復帰用ばね２０の一端を係止している。演奏時にある任意の鍵キー４の音階ボタン１８を左手の指で押圧して当該鍵キー４を復帰用ばね２０に抗して図３において反時計方向に回動させると、当該鍵キー４の下面の長手方向中間部が全ての弦３を押圧し、当該鍵キー４に対応するフレット８の上面に押し付ける。なお、押鍵操作された鍵レバー４の音階ボタン１８から指を離すと、当該鍵レバー４は復帰用ばね２０の力により初期位置に回動復帰して弦３を解放する。
【００１５】
前記天板５は、取付部材２４を介して胴本体２の上方に略水平に配設されることにより、全ての鍵キー４の基端部４ａの上方を覆っている。取付部材２４は、側面視逆Ｌ字形に形成することにより、垂直部２４Ａと、水平部２４Ｂとからなり、垂直部２４Ａの下端部が前記胴本体２の背面に複数個の止めねじ２５によって固定されている。水平部２４Ｂは、胴本体２の上方に位置して前記天板５が固定され、前端部下面に各鍵キー４を案内し左右方向の移動を規制するガイド部２４Ｃが一体に垂設されている。
【００１６】
図５〜図９において、前記下駒７は、合成樹脂によって正面視形状が略二等辺三角形で底面側が開放し、弦３の張設方向と直交する方向に長いブロック状に形成されることにより、前後に対向する三角形の前面板７Ａおよび背面板７Ｂと、互いに反対方向に傾斜した左斜板７Ｃおよび右斜板７Ｄとからなり、前記弦係止部材１１に対して弦３の張設方向と直交する方向の異なった２位置に位置変更可能に配設されている。また、下駒７は、前端部側と後端部側を弦３の張設方向にずらして形成することにより不連続な頂面（稜線）３０（３０ａ，３０ｂ）を有し、前方側の稜線３０ａを含む前端部側の頂部が低音域用弦支持部３１を形成し、後方側の稜線３０ｂを含む後端部側の頂部が中高音域用弦支持部３２を形成している。すなわち、下駒７は弦３の張設方向と直交する方向に隣り合う不連続な低音域用弦支持部３１と中高音域用弦支持部３２とを有し、低音域用弦支持部３１が前記上駒６からの距離が前記中高音域用弦支持部３２よりも長くなるように弦３の張設方向にずれている。また、低音域用弦支持部３１は、中高音域用弦支持部３２と略同一高さで、中高音域用弦支持部３２の略半分の長さを有し、頂面３０ａに１つの弦受け溝３３が形成されている。中高音域用弦支持部３２は、左右対称で頂角が５９°程度の二等辺三角形を形成しており、頂面３０ｂに６つの弦受け溝３４ａ〜３４ｆが形成されている。したがって、下駒７は合計７つの弦受け溝３３，３４ａ〜３４ｆを有し、弦受け溝３３がテナー用の弦（太巻線）を係止するために用いられ、４つの弦受け溝３４ａ〜３４ｄがソプラノ用の弦（細線と細巻線）を係止するために用いられ、残り２つの弦受け溝３４ｅ，３４ｆがアルト用の弦（細巻線）を係止するために用いられる。弦受け溝３３、３４ａ〜３４ｆは、溝幅と深さがそれぞれ異なり、前方（低音側）に位置するものほど溝幅が広く、深さが深くなるように形成されている。
【００１７】
前記前面板７Ａは後方に１０°程度傾斜している。背面板７Ｂは前方に１０°程度傾斜している。右斜板７Ｄの下端には、凹部からなる２つの係合部３５（３５ａ，３５ｂ）が下駒７の長手方向に離間して形成されている。係合部３５は後述する弦係止部材１１の位置決め部とともに下駒７８の位置決め機構を構成するもので、前方側の係合部３５ａがアルトとテナーをセットするときに下駒７を後方側に位置決めするために用いられ、後方側の係合部３５ｂがソプラノをセットするときに下駒７を前方側に位置決めするために用いられる。
【００１８】
このような下駒７は、高さＨが９．８ｍｍ程度、前後方向の長さＬが２５ｍｍ程度、幅Ｗが１０ｍｍ程度、低音域用弦支持部３１と中高音域用弦支持部３２のずれ量ｄが１ｍｍ程度、弦受け溝３３の溝幅が１．２ｍｍ程度、弦受け溝３４ａ，３４ｂ，３４ｃの溝幅が０．４ｍｍ程度、弦受け溝３４ｄ〜３４ｆの溝幅が０．６ｍｍ程度である。
【００１９】
図１０において、前記弦係止部材１１は、金属板の折り曲げ加工によって逆Ｌ字状に形成されることにより水平な下駒固定板１１Ａと、下駒固定板１１Ａの右端に垂設された弦係止板１１Ｂとからなり、下駒固定板１１Ａが胴本体２の上面に接着剤等によって固定され、弦係止板１１Ｂが前記飾り枠１５に挿入されビス、接着剤等によって固定されている。下駒固定板１１Ａの左端には、下駒７の位置決め部を構成する爪３８が一体に突設されている。爪３８は、下駒７の係合部３５ａ，３５ｂに選択的に係合することにより、下駒７を胴本体２の前後方向の異なった２位置に位置決めする。すなわち、前方側の係合部３５ａに係合すると、下駒７を胴本体２の後方側に位置決めし、後方側の係合部３５ｂに係合すると、下駒７を胴本体２の前方側に位置決めする。前記弦係止板１１Ｂは、各弦３の右端を係止する４つの弦係止用フック３９と、２つのねじ取付孔４０とを有している。
【００２０】
図１において、前記電磁式ピックアップ装置１２は、前記胴本体２の上面で天板５の下駒７側端部付近に前記弦３の下方に位置するように配設されている。このピックアップ装置１２は、一方の磁極（例えばＮ極）が各弦３と対向するように配設された複数個（通常４個）のマグネット４２と、これらのマグネット４２を収納する絶縁材からなるケース４３と、マグネット４２の周囲に巻回された図示しないピックアップコイル等を備え、各弦３の振動を電気信号に変換する。すなわち、演奏時に任意の弦３を弾いて振動させると、当該弦３とマグネット４２との距離が変化するためマグネット４２の磁界が変化し、電磁誘導作用によってピックアップコイルに弦振動に応じた起電力が発生する。そして、この起電力は、増幅器によって増幅され、スピーカから演奏音として発音される。なお、このような電磁式ピックアップ装置１１は、従来周知である（例えば、実開平５−３０８９６号公報、特開平１−２１１７９７号公報等）。
【００２１】
次に、上記構造からなる大正琴１の使用形態を図１１（ａ）〜（ｅ）に基づいて説明する。
同図（ａ）は工場出荷時における弦の張設状態を示す。工場出荷時においては、一般的な使用を想定してソプラノ用の４本の弦３Ａ1〜３Ａ4（細線３本、細巻線１本）を鍵レバー４、指板９およびピックアップ装置１２に対して最適な位置になるように張設している。このため、弦３Ａ1〜３Ａ4は、下駒７の弦受け溝３４ａ〜３４ｄにそれぞれ係止されている。また、下駒７は、係合部３５ｂと爪３８との係合によって胴本体２の前方側に位置決めされ、弦圧によって胴本体２の上面に固定されている。
【００２２】
同図（ｂ）は、ハイ・ソプラノの音域を担当する大正琴として使用する際の弦の張設状態を示すもので、ハイソプラノ用の３本の弦３Ａ5，３Ａ6，３Ａ7（細線３本）が下駒７の弦受け溝３４ａ〜３４ｃにそれぞれ係止されている。また、下駒７は、胴本体２の前方側に位置するように弦係止部材１１に位置決めされている。
ハイ・ソプラノにおいては、トレモロ演奏を行うと、マンドリンのような高くて澄んだ伸びのある音色が得られる。
【００２３】
同図（ｃ）は、アルトの音域を担当する大正琴として使用する際の弦の張設状態を示すもので、アルト用の２本の弦３Ａ8，３Ａ9（細巻線２本）が下駒７の弦受け溝３４ｅ，３４ｆにそれぞれ係止されている。下駒７は、弦３Ａ8，３Ａ9が鍵レバー４、指板９およびピックアップ装置１２に対して最適な位置になるように胴本体２の後方側に位置決めされている。このため、弦３Ａ8，３Ａ9は、ソプラノ用の第２、第３弦３Ａ2，３Ａ3の位置と一致している。なお、この後方側の位置は、下駒７の係合部３５ａと弦係止部材１１の爪３８とが係合する位置であることはいうまでもない。
アルトにおいては、細線の高い音が混じらない柔らかな音色が得られる。
【００２４】
同図（ｄ）は、テナーの音域を担当する大正琴として使用する際の弦の張設状態を示すもので、テナー用の１本の弦３Ａ10（太巻線１本）が下駒７の弦受け溝３３に係止されている。下駒７は、アルトと同様に弦３Ａ10が鍵レバー４、指板９およびピックアップ装置１２に対して最適な位置になるように胴本体２の後方側に位置決めされている。
テナーにおいては、アルトよりさらに１オクターブ低い音が得られる。また、弓で演奏する際にはチェロに似た太い音が楽しめる。
【００２５】
同図（ｅ）は、アルト／テナーの音域を担当する大正琴として使用する際の弦の張設状態を示すもので、アルト用の１本の弦３Ａ8（細線１本）とテナー用の１本の弦３Ａ10（太巻線１本）が下駒７の弦受け溝３４ｅ，３３にそれぞれ係止されている。下駒７は、弦３Ａ8 ，３Ａ10が鍵レバー４、指板９およびピックアップ装置１２に対して最適な位置になるように胴本体２の後方側に位置決めされている。
アルト／テナーにおいては、分弦奏法（１本の弦だけ弾く）にすると、太巻線の最低音から細巻線の最高音まで広い音域で演奏することができる。
【００２６】
また、他の使用方法としては、図１２に示す簡易的なハイ・ソプラノにして使用することもできる。すなわち、この簡易ハイ・ソプラノは、ソプラノ用の４本の弦３Ａ1〜３Ａ4を用い、第４弦３Ａ4を緩めてフレットから手前側にずらし、あらためて動かないように締めて演奏するものである。演奏会などでこの方法に変更する場合は、トラブルを防ぐためにずらした第４弦３Ａ4を胴本体２にテープ等によって固定しておくことが好ましい。
【００２７】
このように本発明に係る大正琴１は、下駒７を弦３の張設方向と直交する方向の２位置に移動調整可能に構成したので、ソプラノ、アルト、テナー等の音域が異なるパートを演奏するに当たり、下駒７をそのパートに応じた位置に移動調整すると、弦３を鍵レバー４、指板９およびピックアップ装置１２に対して最適な位置に張設することができ、一台の大正琴をアルト、テナー等の音域が異なるパートの演奏に共通に使用することができる。
【００２８】
なお、上記した実施の形態においては、電磁式ピックアップ装置１１を備えた電気式大正琴１に適用した例を示したが、本発明はこれに限定されるものではなく、胴本体２が空洞で共鳴胴を構成する自然楽器としての大正琴にも適用することが可能である。
また、上記した実施の形態においては、下駒７に２つの係合部３５を設け、弦係止部材１１に１つの位置決め部３８を設けた例を示したが、本発明はこれに限らず、この逆であってもよい。
また、下駒７の移動位置としては、２位置に限らず、２位置以上であってもよい。
さらに、下駒７を弦３の張設方向と直交する方向に位置決めする位置決め機構としては、種々の変更が可能であり、例えば係合部をピンで構成し、位置決め部をピンが係入する穴で構成してもよい。この場合、ピンを１つとし、穴を２つにしたり、あるいはピンを２つとし、穴を３つにしてもよい。
【００２９】
【発明の効果】
以上説明したように本発明に係る大正琴は、ソプラノ、アルト、テナー等の音域が異なるパートを演奏するに当たり、下駒をそのパートに応じた位置に移動調整することにより、弦を鍵レバー、指板等に対して最適な位置に張設することができる。したがって、一台の大正琴を音域が異なるパートの演奏に共通に使用することができ、演奏者の経済的な負担を軽減することができる。
【図面の簡単な説明】
【図１】  本発明に係る大正琴の一実施の形態を示す平面図である。
【図２】  同大正琴の正面図である。
【図３】  同大正琴の拡大右側面図である。
【図４】  同大正琴の要部の拡大断面図である。
【図５】  下駒の斜視図である。
【図６】  同下駒の平面図である。
【図７】  同下駒の右側面図である。
【図８】  同下駒の正面図である。
【図９】  同下駒の底面図である。
【図１０】  弦係止部材の斜視図である。
【図１１】  （ａ）〜（ｅ）はそれぞれ大正琴の使用形態を示す図である。
【図１２】  他の使用形態を示す図である。
【符号の説明】
１…電気式大正琴、２…胴本体、３，３A1〜３A10…弦、４…鍵キー、６…上駒、７…下駒、９…指板、１０…糸巻装置、１１…電磁式ピックアップ装置、１４…弦係止部材、３１…低音域用弦支持部、３２…中高音域用弦支持部、３３、３４ａ〜３４ｆ…弦受け溝、３５…係合部、３８…位置決め部。
【図１】
0003711886.tif 000002
【図２】
0003711886.tif 000003
【図３】
0003711886.tif 000004
【図４】
0003711886.tif 000005
【図５】
0003711886.tif 000006
【図６】
0003711886.tif 000007
【図７】
0003711886.tif 000008
【図８】
0003711886.tif 000009
【図９】
0003711886.tif 000010
【図１０】
0003711886.tif 000011
【図１１】
0003711886.tif 000012
【図１２】
0003711886.tif 000013